(57)【要約】【課題】  取り付けるアダプタの種類に応じた適切な照明光を、簡易な構成によって容易に得ることができる内視鏡装置を提供すること。【解決手段】  被検体に挿入される挿入部を有する内視鏡本体部を備え、前記被検体に照明光を照射する照明部１２を有するアダプタ１０ａを、前記挿入部に交換可能に取り付けて前記被検体の観察を行う内視鏡装置において、前記内視鏡本体部が、前記挿入部に前記アダプタ１０ａが取り付けられたときに、前記照明部１２に電気的に接続されて、前記照明部１２に電力を供給する電源部と、この電源部と前記照明部１２とが電気的に接続された閉路内において前記照明部１２と直列または並列に設けられ、前記電源部から前記照明部１２に供給される電力を補正する電力補正手段５３と、を備えることを特徴とする。【選択図】        図２
2006333945.tif 000002
【特許請求の範囲】
【請求項１】
被検体に挿入される挿入部を有する内視鏡本体部を備え、前記被検体に照明光を照射する照明部を有するアダプタを、前記挿入部に交換可能に取り付けて前記被検体の観察を行う内視鏡装置において、
前記内視鏡本体部が、
前記挿入部に前記アダプタが取り付けられたときに、前記照明部に電気的に接続されて、前記照明部に電力を供給する電源部と、
この電源部と前記照明部とが電気的に接続された閉路内において前記照明部と直列または並列に設けられ、前記電源部から前記照明部に供給される電力を補正する電力補正手段と、を備えることを特徴とする内視鏡装置。
【請求項２】
被検体に挿入される挿入部を有する内視鏡本体部と、前記被検体に照明光を照射する照明部を有するアダプタとを備え、このアダプタを前記挿入部に交換可能に取り付けて前記被検体の観察を行う内視鏡装置において、
前記内視鏡本体部が、前記挿入部に前記アダプタが取り付けられたときに、前記照明部に電気的に接続されて、前記照明部に電力を供給する電源部を備え、
前記内視鏡本体部または前記アダプタのいずれか一方が、前記電源部と前記照明部とが電気的に接続された閉路内において前記照明部と直列または並列に設けられ、前記電源部から前記照明部に供給される電力を補正する電力補正手段を備えることを特徴とする内視鏡装置。
【請求項３】
前記電力補正手段が、前記電源部からの電力を消費する電力消費素子を備えることを特徴とする請求項１または請求項２に記載の内視鏡装置。
【請求項４】
前記電力消費素子が、抵抗であることを特徴とする請求項３に記載の内視鏡装置。
【請求項５】
前記抵抗が、可変抵抗であることを特徴とする請求項４に記載の内視鏡装置。
【請求項６】
前記可変抵抗が、抵抗本体部と、この抵抗本体部の抵抗値を変更操作するための抵抗操作部とを備え、この抵抗操作部が、少なくとも前記変更操作時において、前記内視鏡本体部または前記アダプタから外方に露出していることを特徴とする請求項５に記載の内視鏡装置。
【請求項７】
被検体に挿入される挿入部を有する内視鏡本体部と、前記被検体に照明光を照射する照明部を有するアダプタとを備え、このアダプタを前記挿入部に交換可能に取り付けて前記被検体の観察を行う内視鏡装置において、
前記内視鏡本体部が、前記挿入部に前記アダプタが取り付けられたときに、前記照明部に電気的に接続されて、前記照明部に電力を供給する電源部を備え、
前記内視鏡本体部と前記アダプタとが、前記アダプタの種類を識別するための識別手段を備え、
前記内視鏡本体部または前記アダプタのいずれか一方が、前記電源部と前記照明部とが電気的に接続された閉路内において前記照明部と直列または並列に設けられ、前記電源部から前記照明部に供給される電力を補正する電力補正手段を備えており、
前記識別手段の識別結果に応じて、前記電力補正手段が前記照明部に供給される電力を補正することを特徴とする内視鏡装置。
【請求項８】
前記識別手段が、前記内視鏡本体部または前記アダプタのいずれか一方に設けられた突出部と、他方に設けられ、前記突出部によってＯＮＯＦＦが切り替えられるスイッチとを備えることを特徴とする請求項７に記載の内視鏡装置。
【発明の詳細な説明】
【技術分野】
【０００１】
本発明は、被検体を観察するための内視鏡装置に関するものである。
【背景技術】
【０００２】
近年、医療分野や工業分野などの様々な分野において、被検体内を観察する内視鏡装置が利用されている。これら内視鏡装置の中には、被検体に挿入される挿入部を有する内視鏡本体部と、被検体に照明光を照射するＬＥＤを有するアダプタと、ＬＥＤに電力を供給する電源部と、を備えたものが周知となっている（例えば、特許文献１参照。）。さらに、この内視鏡装置には、ＬＥＤの設置数が異なる複数のアダプタが用意されており、これら複数のアダプタが選択的かつ交換可能に挿入部に取り付けられるようになっている。
しかし、このような内視鏡装置では、アダプタに設けられるＬＥＤの設置数などにより、必要な電力が異なるため、取り付けるアダプタによっては、それらＬＥＤに適切な量の電力を供給することができない。そのため、照明に必要な適切な光量を得ることができなくなってしまう。
【０００３】
そこで、異なる抵抗値を有する抵抗をそれぞれのアダプタごとに設けるとともに、その抵抗値を判別する判別部とを設け、判別部の判別結果に応じて、ＬＥＤに流れる電流を制御するようにしたものが提案されている（例えば、特許文献２参照。）。
【特許文献１】特開平１０−２１６０８５号公報
【特許文献２】特開２００４−１５８８４０号公報
【発明の開示】
【発明が解決しようとする課題】
【０００４】
しかしながら、特許文献２に記載されたような内視鏡装置では、抵抗を接続するのに必要なケーブルの数が増大するため、配線が複雑になってしまうだけでなく、挿入部の径が大きくなってしまうという問題がある。また、抵抗値を判別するための判別部や、電流値を制御するための制御部などが必要となるため、構成が複雑となり、コストが増大してしまうという問題もある。
【０００５】
本発明は、このような事情に鑑みてなされたものであって、取り付けるアダプタの種類に応じた適切な照明光を、簡易な構成によって容易に得ることができる内視鏡装置を提供することを目的とする。
【課題を解決するための手段】
【０００６】
上記課題を解決するために、本発明は以下の手段を提供する。
請求項１に係る発明は、被検体に挿入される挿入部を有する内視鏡本体部を備え、前記被検体に照明光を照射する照明部を有するアダプタを、前記挿入部に交換可能に取り付けて前記被検体の観察を行う内視鏡装置において、前記内視鏡本体部が、前記挿入部に前記アダプタが取り付けられたときに、前記照明部に電気的に接続されて、前記照明部に電力を供給する電源部と、この電源部と前記照明部とが電気的に接続された閉路内において前記照明部と直列または並列に設けられ、前記電源部から前記照明部に供給される電力を補正する電力補正手段と、を備えることを特徴とする。
【０００７】
この発明に係る内視鏡装置においては、挿入部にアダプタを取り付けると、電源部と照明部とが電気的に接続されて電路が構成される。そして、その照明部に必要な電力に応じて、電源部からの電力が、電力補正手段によって補正される。この補正された電力が照明部に供給される。このとき、電力補正手段が、前記電路によって形成された閉路内において照明部と直列または並列に設けられていることから、ケーブルの数を増やすことなく、また電源部自体の電力を変えることなく、照明部に供給する電力を適正に補正することができる。
なお、「閉路」とは、電源部から照明部を経て再び電源部に戻る一周の電路をいう。
【０００８】
請求項２に係る発明は、被検体に挿入される挿入部を有する内視鏡本体部と、前記被検体に照明光を照射する照明部を有するアダプタとを備え、このアダプタを前記挿入部に交換可能に取り付けて前記被検体の観察を行う内視鏡装置において、前記内視鏡本体部が、前記挿入部に前記アダプタが取り付けられたときに、前記照明部に電気的に接続されて、前記照明部に電力を供給する電源部を備え、前記内視鏡本体部または前記アダプタのいずれか一方が、前記電源部と前記照明部とが電気的に接続された閉路内において前記照明部と直列または並列に設けられ、前記電源部から前記照明部に供給される電力を補正する電力補正手段を備えることを特徴とする。
【０００９】
この発明に係る内視鏡装置においては、挿入部にアダプタを取り付けると、電源部と照明部とが電気的に接続されて電路が構成される。そして、その照明部に必要な電力に応じて、電源部からの電力が、電力補正手段によって補正される。この補正された電力が照明部に供給される。このとき、電力補正手段が、前記電路によって形成された閉路内において照明部と直列または並列に設けられていることから、ケーブルの数を増やすことなく、また電源部自体の電力を変えることなく、照明部に供給する電力を適正に補正することができる。
【００１０】
請求項３に係る発明は、請求項１または請求項２に記載の内視鏡装置において、前記電力補正手段が、前記電源部からの電力を消費する電力消費素子を備えることを特徴とする。
【００１１】
この発明に係る内視鏡装置においては、電力消費素子によって、電源部からの電力の一部が消費される。そして、残りの電力が照明部に供給される。
これにより、電源部からの電力を確実に補正することができる。
【００１２】
請求項４に係る発明は、請求項３に記載の内視鏡装置において、前記電力消費素子が、抵抗であることを特徴とする。
【００１３】
この発明に係る内視鏡装置においては、抵抗によって、電源部からの電力が消費される。
これにより、電源部からの電力を容易かつ確実に補正することができる。
【００１４】
請求項５に係る発明は、請求項４に記載の内視鏡装置において、前記抵抗が、可変抵抗であることを特徴とする。
【００１５】
この発明に係る内視鏡装置において、取り付けられるアダプタの照明部に必要な電力に応じて、可変抵抗の抵抗値を変更する。そして、この可変抵抗によって、電源部からの電力の一部が消費される。
これにより、ＬＥＤに供給する電力を微調整することができ、ＬＥＤごとのばらつきを吸収し、適正な照明光を容易に得ることができる。
【００１６】
請求項６に係る発明は、請求項５に記載の内視鏡装置において、前記可変抵抗が、抵抗本体部と、この抵抗本体部の抵抗値を変更操作するための抵抗操作部とを備え、この抵抗操作部が、少なくとも前記変更操作時において、前記内視鏡本体部または前記アダプタから外方に露出していることを特徴とする。
【００１７】
この発明に係る内視鏡装置においては、取り付けられるアダプタの照明部に必要な電力に応じて、抵抗操作部を変更操作して抵抗本体部の抵抗値を変更する。このとき、少なくとも変更操作時において、抵抗操作部が外方に露出していることから、内視鏡本体部またはアダプタなどを分解することなく、前記抵抗値を容易に変更することができる。
【００１８】
請求項７に係る発明は、被検体に挿入される挿入部を有する内視鏡本体部と、前記被検体に照明光を照射する照明部を有するアダプタとを備え、このアダプタを前記挿入部に交換可能に取り付けて前記被検体の観察を行う内視鏡装置において、前記内視鏡本体部が、前記挿入部に前記アダプタが取り付けられたときに、前記照明部に電気的に接続されて、前記照明部に電力を供給する電源部を備え、前記内視鏡本体部と前記アダプタとが、前記アダプタの種類を識別するための識別手段を備え、前記内視鏡本体部または前記アダプタのいずれか一方が、前記電源部と前記照明部とが電気的に接続された閉路内において前記照明部と直列または並列に設けられ、前記電源部から前記照明部に供給される電力を補正する電力補正手段を備えており、前記識別手段の識別結果に応じて、前記電力補正手段が前記照明部に供給される電力を補正することを特徴とする。
【００１９】
この発明に係る内視鏡装置においては、挿入部にアダプタを取り付けると、電源部と照明部とが電気的に接続されて電路が構成されるとともに、識別手段によりアダプタの種類が識別される。そして、この識別結果に応じて、電源部からの電力が補正され、補正された電力が照明部に供給される。このとき、電力補正手段が、前記電路によって形成された閉路内において照明部と直列または並列に設けられていることから、ケーブルの数を増やすことなく、また電源部自体の電力を変えることなく、照明部に供給する電力を適正に補正することができる。また、識別手段によってアダプタの種類を識別することから、上記電力を容易に補正することができる。
【００２０】
請求項８に係る発明は、請求項７に記載の内視鏡装置において、前記識別手段が、前記内視鏡本体部または前記アダプタのいずれか一方に設けられた突出部と、他方に設けられ、前記突出部によってＯＮＯＦＦが切り替えられるスイッチとを備えることを特徴とする。
【００２１】
この発明に係る内視鏡装置においては、挿入部にアダプタを取り付けると、突出部によってスイッチが押圧されて、ＯＮ状態となる。
これにより、アダプタの種類を容易かつ確実に認識することができる。
【発明の効果】
【００２２】
本発明によれば、ケーブルの数を増やすことなく、また電源部自体の電力を変えることなく、照明部に供給する電力を適正に補正することができることから、取り付けるアダプタの種類に応じた適切な照明光を、簡易な構成によって容易に得ることができる。
【発明を実施するための最良の形態】
【００２３】
（実施形態１）
以下、本発明の第１の実施形態における内視鏡装置について、図面を参照して説明する。
図１は、本発明の第１の実施形態としての内視鏡装置１を示したものである。
内視鏡装置１は、被検体の検査を行うための内視鏡本体部２と、被検体に照明光を照射する照明部１２を有する光学アダプタ１０とを備えている。
【００２４】
内視鏡本体部２は、被検体に挿入される長尺状の挿入部４と、この挿入部４に連結されて各種操作を行う本体操作部３とを備えている。
本体操作部３内には、挿入部４を巻き取って収納する巻き取りドラム５と、電力を供給するための電源部１１とが設けられている。電源部１１は、図３に示す駆動制御部１６によってその駆動が制御されるようになっている。また、本体操作部３の天面には、回転台１８を介して、液晶表示部１９が設置されている。さらに、本体操作部３には、挿入部４の先端部７を所望の方向に向けるためのリモコン２０が設けられている。
【００２５】
また、挿入部４は、可撓性の部材からなっており、その後端は、引出し口６を通して、巻き取りドラム５に取り付けられている。これにより、挿入部４は、引出し口６を介して引っ張り出すことにより、本体操作部３から外方に延びるようになっており、逆に、巻き取りハンドル５ａに手をあてがい、巻き取りドラム５を回すことにより、書き取りドラム５に巻き取られるようになっている。一方、挿入部４の先端部７の近傍には、先端部７を上下左右方向に向けるために湾曲する湾曲部１５が設けられている。また、先端部７には、撮像手段としてのＣＣＤ２３が設けられている。さらに、挿入部４の先端面には、外方に突出する本体側電極部２５が設けられている。これら本体側電極部２５は、図３に示すケーブル２４を介して電源部１１に電気的に接続されている。さらに、挿入部４の先端部７には、上述の光学アダプタ１０が着脱可能に取り付けられている。
【００２６】
光学アダプタ１０は、照明部１２の照明光の光量の大きさによって複数種類用意されており、それら複数の光学アダプタ１０が、択一的に、かつ交換可能に先端部７に取り付けられるようになっている。ここでは、光学アダプタ１０が２種類用意され、光量の小さい方を符号１０ａ、大きい方を符号１０ｂで示す。
光学アダプタ１０ａは、図２に示すように、円筒状の外筒部２８と接続リング２９とが、レンズ筒部３２を介して連結されて構成されるものである。レンズ筒部３２は有底円筒状に形成された大径部３２ａと、この大径部３２ａに同心上に連結され、円筒状に形成された小径部３２ｂとを備えている。小径部３２ｂの内部には、不図示の対物レンズが設けられており、大径部３２ａの内部には、２本の電線３８が設けられている。これら電線３８の基端部には、不図示の電極基板を介してアダプタ側電極部３７が設けられており、これらアダプタ側電極部３７は外方に露出している。そして、光学アダプタ１０ａを図１に示す挿入部４に取り付けたときに、アダプタ側電極部３７が本体側電極部２５にそれぞれ当接するようになっている。一方、電線３８の先端部は、レンズ筒部３２の先端面から突出している。
【００２７】
また、レンズ筒部３２の外周面の後端には、径方向外方に突出し、その全周にわたって延びるフランジ部３３が設けられている。
接続リング２９の先端には、径方向内方に向けられた内向きフランジ部３９が設けられている。そして、接続リング２９の後端からレンズ筒部３２の先端を通すと、内向きフランジ部３９がフランジ部３３に当接することにより、接続リング２９が軸方向に抜け止めされて回転可能に支持されるようになっている。
また、レンズ筒部３２の先端面には、円板状の連結基板４２、円筒状のＬＥＤ基板４６および円板状のフレキ基板４７が設けられている。すなわち、連結基板４２の中央に形成された貫通孔４２ａと、ＬＥＤ基板４６の筒孔と、フレキ基板４７の中央に形成された貫通孔４７ａとが小径部３２ｂに挿通されており、これにより、レンズ筒部３２の先端面に、連結基板４２を介して、ＬＥＤ基板４６およびフレキ基板４７が取り付けられている。そして、これら連結基板４２、ＬＥＤ基板４６およびフレキ基板４７を覆うようにして、外筒部２８が設けられている。
【００２８】
連結基板４２には、互いに短絡しないよう分離された第１の電極パターン４８および第２の電極パターン４９が設けられている。第１の電極パターン４８には、スルーホール４８ａが形成されており、このスルーホール４８ａを介して、第１の電極パターン４８が、レンズ筒部３２の先端面から突出する一方の電線３８と電気的に接続されている。また、第２の電極パターン４９には、第１のスルーホール４９ａおよび第２のスルーホール４９ｂが形成されており、第１のスルーホール４９ａを介して、第２の電極パターン４９が、他方の電線３８と電気的に接続されている。
また、連結基板４２には、連結パターン５２が設けられており、この連結パターン５２は、後述する固定抵抗（電力補正手段、電力消費素子）５３を介して、第１の電極パターン４８と電気的に接続されている。さらに、連結パターン５２には、スルーホール５２ａが形成されている。
【００２９】
上述のフレキ基板４７には、第１のフレキ用パターン５６および第２のフレキ用パターン５７が設けられている。第１のフレキ用パターン５６および第２のフレキ用パターン５７には不図示のケーブルがそれぞれ接続されており、一方のケーブルはスルーホール５２ａを通されて連結パターン５２に接続され、他方のケーブルは、第２のスルーホール４９ｂを通されて、第２の電極パターン４９に接続されている。さらに、フレキ基板４７には、上述の照明部１２が設けられている。照明部１２は、４つのＬＥＤが直列に接続された第１のＬＥＤユニット６０ａおよび第２のＬＥＤユニット６０ｂとを備えている。
【００３０】
これら第１のＬＥＤユニット６０ａと第２のＬＥＤユニット６０ｂとは並列に接続され、すなわち４直２並列に構成されている。これら並列に接続された第１のＬＥＤユニット６０ａおよび第２のＬＥＤユニット６０ｂの両端は、それぞれ第１のフレキ用パターン５６および第２のフレキ用パターン５７に接続されている。これにより、第１のＬＥＤユニット６０ａおよび第２のＬＥＤユニット６０ｂの両端は、それぞれ一方の電線３８または他方の電線３８に電気的に接続されている。
【００３１】
さらに、本実施形態における光学アダプタ１０ａは、固定抵抗５３を備えている。固定抵抗５３は、連結基板４２に設けられており、第１の電極パターン４８と連結パターン５２との間に電気的に接続されている。
このような構成のもと、光学アダプタ１０ａを挿入部４に取り付けると、図３に示すように、本体側電極部２５とアダプタ側電極部３７とが電気的に接続されるようになっている。そして、これにより、電源部１１と照明部１２とを電気的に接続する閉路６２が形成されるようになっている。すなわち、閉路６２とは、電源部１１のプラス側から、照明部１２を経て、電源部１１のマイナス側に到る一周の電路をいうものである。この閉路６２内において、固定抵抗５３は、照明部１２と直列に接続されている。固定抵抗５３の抵抗値は、第１のＬＥＤユニット６０ａおよび第２のＬＥＤユニット６０ｂに所定の電圧および電流が印加されるように設定されている。
【００３２】
なお、光学アダプタ１０ｂの基本的構成は、光学アダプタ１０ａと同様であり、ここでの説明は省略する。ただし、以下の点について異なっている。すなわち、光学アダプタ１０ｂは、第１のＬＥＤユニット６３ａ、第２のＬＥＤユニット６３ｂおよび第３のＬＥＤユニット６３ｃを備えており、４直３並列に構成されたものである。そして、これら第１のＬＥＤユニット６３ａ、第２のＬＥＤユニット６３ｂおよび第３のＬＥＤユニット６３ｃに印加される電圧および電流が、光学アダプタ１０ａの第１のＬＥＤユニット６０ａおよび第２のＬＥＤユニット６０ｂに印加される電圧および電流と同一になるように、光学アダプタ１０ｂに設けられた固定抵抗５３の抵抗値が設定されている。
【００３３】
次に、本実施形態における内視鏡装置１の作用について説明する。
まず、被検体の状況に応じて、適正な光量の光学アダプタ１０を選択する。ここでは、光学アダプタ１０ａを選択するものとする。この光学アダプタ１０ａを挿入部４に取り付け、挿入部４を被検体に挿入する。そして、後述するように電源部１１から照明部１２に電力を供給し、照明部１２から照明光を照射すると、被検体からの反射光が対物レンズを介して取り込まれる。この反射光がＣＣＤ２３によって電気信号に変換され、液晶表示部１９に観察画像として映し出される。このとき、リモコン２０を操作して、湾曲部１５を湾曲させることにより、挿入部４の先端部７が所望の方向に向けられる。そして、その観察画像を観ながら、被検体が観察されて、各種処置が行われる。
【００３４】
ここで、光学アダプタ１０ａを挿入部４に取り付けると、上述のように、電源部１１と照明部１２とが電気的に接続された閉路６２が形成される。この閉路６２内において、固定抵抗５３が照明部１２に直列に接続される。そして、駆動制御部１６の制御のもと電源部１１が駆動させられると、電源部１１からの所定の電力が、固定抵抗５３を経て照明部１２に供給される。すなわち、電源部１１からの電力の一部は、固定抵抗５３によって熱エネルギーとして消費され、残りの電力が照明部１２に供給される。このとき、固定抵抗５３の抵抗値は、第１のＬＥＤユニット６０ａおよび第２のＬＥＤユニット６０ｂに所定の電圧および電流が印加されるように設定されていることから、電源部１１からの電力が補正されて、補正された適正な電力が第１のＬＥＤユニット６０ａおよび第２のＬＥＤユニット６０ｂに供給される。
【００３５】
一方、より大きな光量が必要な場合には、光学アダプタ１０ｂを選択する。この場合、挿入部４から、光学アダプタ１０ａを取り外し、その取り外した箇所に光学アダプタ１０ｂを改めて取り付ける。すると、同様にして閉路６２が形成される。そして、電源部１１を駆動すると、上記と同様に、電源部１１からの電力が、固定抵抗５３によって補正されて照明部１２に供給される。すなわち、光学アダプタ１０ｂに設けられた固定抵抗５３の抵抗値は、第１のＬＥＤユニット６３ａ、第２のＬＥＤユニット６３ｂおよび第３のＬＥＤユニット６３ｃに印加される電圧および電流が、光学アダプタ１０ａの第１のＬＥＤユニット６０ａおよび第２のＬＥＤユニット６０ｂに印加される電圧および電流と同一になるように設定されていることから、電源部１１からの電力の一部が、固定抵抗５３によって消費され、第１のＬＥＤユニット６０ａおよび第２のＬＥＤユニット６０ｂに供給される電力と同一の電力が、第１のＬＥＤユニット６３ａ、第２のＬＥＤユニット６３ｂおよび第３のＬＥＤユニット６３ｃに供給される。
【００３６】
なお、光学アダプタ１０ａ，１０ｂに固定抵抗５３が設けられていない場合には、各ＬＥＤユニットに印加される電圧は同一であるが、光学アダプタ１０ａおよび光学アダプタ１０ｂとで印加される電流が異なるため、それぞれ電力が異なることになる。すなわち、本実施形態において、固定抵抗５３は、電力補正手段として機能するものである。
【００３７】
以上より、本実施形態における内視鏡装置１によれば、閉路６２内に固定抵抗５３が照明部１２と直列に設けられていることから、固定抵抗５３を接続するためのケーブルの数を増やすことなく、また電源部１１自体の電力を一定にしたまま、照明部１２に供給する電力を適正に補正することができる。そのため、取り付ける光学アダプタ１０の種類に応じた適切な照明光を、簡易な構成によって容易に得ることができる。
【００３８】
なお、本実施形態においては、光学アダプタ１０ａ，１０ｂの両方に固定抵抗５３を設けるとしたが、これに限ることはなく、各ＬＥＤユニットに供給される電力が同一でさえあれば、いずれか一方に設けていればよい。
また、光学アダプタ１０が２種類用意されているとしたが、これに限ることはなく、その数は適宜変更可能である。
さらに、各ＬＥＤユニットを４直２並列および４直３並列としたが、これに限ることはなく、ＬＥＤの設置数やその構成は適宜変更可能である。
また、電力消費素子として固定抵抗５３を設けるとしたが、これに限ることはなく、例えばダイオードなどの他の素子であってもよい。
【００３９】
（実施形態２）
次に、本発明の第２の実施形態について説明する。
図４は、本発明の第２の実施形態を示したものである。
図４において、図１から図３に記載の構成要素と同一部分については同一符号を付し、その説明を省略する。
この実施形態と上記第１の実施形態とは基本的構成は同一であり、ここでは異なる点についてのみ説明する。
【００４０】
本実施形態においては、連結基板４２上であって、第１の電極パターン４８と連結パターン５２との間に、抵抗値を変更することができる可変抵抗（電力補正手段、電力消費素子）６４が電気的に接続されている。そのため、可変抵抗６４の抵抗値を調整することにより、照明部１２に供給される電力を、光学アダプタ１０の種類ごとに容易に設定することができる。さらに、各ＬＥＤユニットには、個々のＬＥＤごとのばらつきがあるが、可変抵抗６４を微調整することにより、照明部１２に供給される電力を微調整することができる。そのため、個々のＬＥＤごとのばらつきを吸収することができ、ＬＥＤユニットごとの総光量を同一にすることができる。これにより、ＬＥＤユニットごとに均一かつ適正な光量を容易に得ることができる。
【００４１】
なお、上記第１および第２の実施形態においては、固定抵抗５３および可変抵抗６４を照明部１２に直列に接続するとしたが、これに限ることはなく、図５に示すように、照明部１２に並列に接続してもよい。
また、照明部１２の両端に並列に接続するだけでなく、図６に示すように、各ＬＥＤごとに並列に可変抵抗６４を接続してもよい。これにより、個々のＬＥＤごとのばらつきを調整することができ、より高品質な照明光を得ることができる。
さらに、固定抵抗５３および可変抵抗６４に代えて、各ＬＥＤユニットごとのばらつきを調整するためのＩＣを設けるようにしてもよい。このＩＣに記憶されたデータを書き換えることによって、各ＬＥＤユニットに供給される電力を調整することができる。すなわち、このＩＣは電力補正手段として機能する。
【００４２】
また、図７に示すように、光学アダプタ１０ｂに円筒状のリング６７を設けるようにしてもよい。すなわち、リング６７の外周に雄ネジ部６８を形成し、この雄ネジ部６８に、外筒部２８の内周面に形成された不図示の雌ネジ部を螺合させる。ここで、光学アダプタ１０ｂは、ＬＥＤの設置数が多いため、光学アダプタ１０ａよりも径が大きくなる。そのため、各光学アダプタ１０ａ，１０ｂごとに各部品の寸法が異なってしまう。そこで、リング６７を設けることにより、リング６７をスペーサとして機能させることができ、レンズ筒部３２や接続リング２９などの部品を兼用することができる。
【００４３】
（実施形態３）
次に、本発明の第３の実施形態について説明する。
図８は、本発明の第３の実施形態を示したものである。
本実施形態においては、可変抵抗６４が、抵抗本体部７１と、この抵抗本体部７１の抵抗値を変更操作するための抵抗操作部７２とを備えており、抵抗操作部７２が外方に露出して設けられている。すなわち、抵抗本体部７１は、第１の電極パターン４８と連結パターン５２との間で電気的に接続されており、抵抗操作部７２は、光学アダプタ１０の基端面の外面側に設けられている。そして、この抵抗操作部７２をドライバー７３などで操作することにより、抵抗本体部７１の抵抗値を変更することができるようになっている。
【００４４】
また、接続リング２９の内周面には、径方向内方に向けられた突起部７４が形成されている。さらに、挿入部４の先端部７には、挿入部４の軸線方向に沿って延びる切り欠き７５が形成されており、挿入部４の先端面の一部には段差部７８が形成されている。そして、光学アダプタ１０を所定の回転位置で先端部７に押し込むと、突起部７４が切り欠き７５に嵌合するとともに、抵抗操作部７２が段差部７８内に配される。これによって、光学アダプタ１０が挿入部４に着脱可能に取り付けられる。
【００４５】
以上より、光学アダプタ１０を挿入部４から取り外すと、抵抗操作部７２が外方に露出することにより、光学アダプタ１０を分解することなく、光学アダプタ１０の種類に応じて抵抗本体部７１の抵抗値を容易に変更することができる。
【００４６】
なお、上述のように、個々のＬＥＤのそれぞれに並列に図６に示す可変抵抗６４を設ける場合、図９に示すように、それぞれの抵抗操作部７２を外方に露出させることにより、個々のＬＥＤごとの調整を一層容易に行うことができる。
【００４７】
（実施形態４）
次に、本発明の第４の実施形態について説明する。
図１０から図１２は、本発明の第４の実施形態を示したものである。
本実施形態においては、図１０および図１１に示すように、挿入部４の先端部７に可変抵抗６４が設けられている。すなわち、先端部７内に本体側電極基板７９が設けられており、この本体側電極基板７９に可変抵抗６４が設けられている。この可変抵抗６４の抵抗操作部７２は、挿入部４の先端面に形成された円形開口部８３を介して外方に露出している。
【００４８】
また、本体側電極基板７９には本体側電極部２５が設けられており、この本体側電極部２５は、挿入部４の先端面に形成された円弧状開口部８０を介して外方に露出している。これら本体側電極部２５は、図１２に示すように、ケーブル２４´，２４を介して電源部１１に電気的に接続されており、一方のケーブル２４´と、この一方のケーブル２４´に接続された一方の本体側電極部２５´との間に、抵抗本体部７１が電気的に接続されている。
なお、アダプタ側電極部３７は、本体側電極部２５と当接するように、光学アダプタ１０の基端面から突出するようにして設けられている。
【００４９】
このような構成のもと、光学アダプタ１０を挿入部４に取り付けると、上述と同様に、閉路６２が形成され、この閉路６２内において、可変抵抗６４が照明部１２に直列に接続される。そこで、取り付けられる光学アダプタ１０の種類によって、抵抗操作部７２を介して抵抗本体部７１の抵抗値を変更することにより、上述のように、照明部１２に適正な電力を供給することができる。さらに、可変抵抗６４および本体側電極部２５が設けられた本体側電極基板７９を挿入部４の先端部７内に設置することから、組み立て作業性を向上させることができる。
【００５０】
なお、本実施形態においては、可変抵抗６４を照明部１２に直列に接続するとしたが、これに限ることはなく、図１３に示すように、照明部１２に並列に接続するようにしてもよい。
【００５１】
（実施形態５）
次に、本発明の第５の実施形態について説明する。
図１４および図１５は、本発明の第５の実施形態を示したものである。
本実施形態においては、図１４に示すように、可変抵抗６４が本体操作部３に設けられている。そして、抵抗操作部７２は、本体操作部３から外方に露出するようにして設置されている。なお、符号８４は、電源部１１を駆動するための本体スイッチを示すものである。
【００５２】
このような構成のもと、光学アダプタ１０を挿入部４に取り付けると、図１５に示すように、閉路６２が形成され、可変抵抗６４が、照明部１２に直列に接続される。そして、光学アダプタ１０の種類に応じて、抵抗本体部７１の抵抗値を変更することにより、それぞれの光学アダプタ１０に適正な電力を供給することができる。
本実施形態においては、抵抗操作部７２が本体操作部３に設けられ外方に露出していることから、抵抗値の変更操作を容易に行うことができる。
【００５３】
なお、本実施形態において、可変抵抗６４を照明部１２に並列に接続してもよい。
また、図１６に示すように、抵抗操作部７２をディップスイッチ８５として構成してもよい。これにより、抵抗値の変更操作を一層容易に行うことができる。さらに、光学アダプタ１０の種類ごとに、あらかじめディップスイッチ８５を対応させておくことにより、容易かつ迅速に変更操作を行うことができる。
【００５４】
（実施形態６）
次に、本発明の第６の実施形態について説明する。
図１７から図１９は、本発明の第６の実施形態を示したものである。
本実施形態においては、図１７および図１８に示すように、挿入部４の先端部７に、ＯＮＯＦＦ切り替え可能なプッシュスイッチ（識別手段、スイッチ）８８が設けられている。すなわち、先端部７に設けられた本体側電極基板７９にプッシュスイッチ８８が設けられ、このプッシュスイッチ８８が、円形開口部８３を介して外方に露出している。
【００５５】
また、電源部１１は、そこから流す電流の電流値を、一方の電流値と他方の電流値とで２値的に切り替えられるようになっている。
さらに、本体操作部３は、図１９に示すように、各種制御を行う制御部（電力補正手段）９４を有するスイッチ回路９３を備えており、このスイッチ回路９３とプッシュスイッチ８８とは電気的に接続されている。さらに、スイッチ回路９３は電源部１１に電気的に接続されている。そして、プッシュスイッチ８８がＯＮになると、プッシュスイッチ８８からの切り替え信号が制御部９４に入力されるようになっている。そして、上記切り替え信号が入力されると、制御部９４により、電源部１１から流れる電流値が、一方の電流値から他方の電流値へと変化するようになっている。
また、光学アダプタ１０ａの後端面には突出部（識別手段）８９が形成されており、光学アダプタ１０ａを挿入部４に取り付けると、突出部８９が円形開口部８３を通して、プッシュスイッチ８８をＯＮするようになっている。
なお、光学アダプタ１０ｂには、突出部８９が設けられていない。
【００５６】
このような構成のもと、光学アダプタ１０ａを挿入部４に取り付けると、上述のように、プッシュスイッチ８８がＯＮになり、制御部９４によって、電源部１１から流れる電流値が他方の電流値へと変更される。それに対して、光学アダプタ１０ｂを挿入部４に取り付けると、光学アダプタ１０ｂには突出部８９が設けられていないことから、プッシュスイッチ８８はＯＦＦになり、プッシュスイッチ８８から切り替え信号が出力されない。そのため、電源部１１からの電流値は、一方の電流値となり、この電流が照明部１２に印加される。このように、電源部１１からの電流値を切り替えることにより、各ＬＥＤユニットに印加される電流を一定にし、それぞれのＬＥＤユニットの電力が等しくなる。
【００５７】
以上より、本実施形態においては、光学アダプタ１０の種類を容易に認識することができ、それら光学アダプタ１０の種類に応じた適切な電力を迅速かつ確実に供給することができる。
【００５８】
なお、本実施形態においては、プッシュスイッチ８８を一つ設け、光学アダプタ１０のいずれか一方に突出部８９を形成するとしたが、これに限ることはなく、適宜変更可能である。
例えば、図２０に示すように、光学アダプタ１０の種類ごとに、その周方向に異なる位置に突出部８９を設けるようにする。そして、挿入部４の先端部７に、それら突出部８９に対応させてプッシュスイッチ８８を周方向に複数設置する。このような構成のもと、光学アダプタ１０を挿入部４に取り付けると、その種類ごとに対応付けられたプッシュスイッチ８８が切り替え信号を出力し、上記と同様にして、電源部１１から流れる電流の電流値が変更される。
これにより、３つ以上の複数の光学アダプタ１０を用意しても、それぞれの照明部１２に適正な電力を供給することができる。
【００５９】
（実施形態７）
次に、本発明の第７の実施形態について説明する。
図２１は、本発明の第７の実施形態を示したものである。
本実施形態においては、先端部７に切り替えスイッチ９５が設けられ、この切り替えスイッチ９５が挿入部４の先端面から露出するように配置されている。この切り替えスイッチ９５は、挿入部４の先端面の近傍に位置する第１の位置Ｐ１と、先端面より内方に位置する第２の位置Ｐ２との間を往復移動することができるようになっている。そして、切り替えスイッチ９５は、自然状態においては不図示の付勢手段の付勢力により第１の位置Ｐ１に配され、光学アダプタ１０ａを取り付けると、突出部８９によって押圧されて第２の位置Ｐ２に配されるようになっている。
【００６０】
さらに、電源部１１と一方の本体側電極部２５´とを結ぶケーブル２４´上に、第１の位置Ｐ１を通る電路Ｃ１と、第２の位置Ｐ２を通る電路Ｃ２とが並列に接続されている。そして、電路Ｃ２には固定抵抗５３が設けられている。なお、光学アダプタ１０ｂには突出部８９は設けられていない。
【００６１】
このような構成のもと、光学アダプタ１０ａを取り付けると、切り替えスイッチ９５が第２の位置Ｐ２に配されて、これにより電源部１１と一方の本体側電極部２５´との間で電路Ｃ２が導通し、電源部１１からの電力が照明部１２に供給される。このとき、電路Ｃ２には、固定抵抗５３が設けられていることから、上記と同様にして、電源部１１からの電力が補正される。一方、光学アダプタ１０ｂを取り付けると、光学アダプタ１０ｂには突出部８９が設けられていないことから、切り替えスイッチ９５が第１の位置Ｐ１に配される。これにより、電路Ｃ２に代えて電路Ｃ１が導通し、電源部１１からの電力が、固定抵抗５３によって消費されることなく、そのまま照明部１２に供給される。
【００６２】
以上より、固定抵抗５３の抵抗値をあらかじめ所定の値に設定することにより、光学アダプタ１０を交換しても、照明部１２に供給する電力を同一にすることができ、簡易な構成により確実に電力を調整することができる。
【００６３】
（実施形態８）
次に、本発明の第８の実施形態について説明する。
図２２は、本発明の第８の実施形態を示したものである。
本実施形態においては、図２２に示すように、本体操作部３に操作入力部（識別手段）９８が設けられている。操作入力部９８は、複数のアダプタ選択ボタンを備えており、それら複数のアダプタ選択ボタンを押圧することにより、それぞれのアダプタ選択ボタンに応じた切り替え信号が出力され、制御部９４に入力される。そして、これら入力された切り替え信号に応じて、制御部９４により、電源部１１から流れる電流の電流値が制御される。
以上より、光学アダプタ１０の種類に応じて、電力を補正することができるだけでなく、構成を簡易にすることができる。
【００６４】
なお、本発明の技術範囲は上記の実施形態に限定されるものではなく、本発明の趣旨を逸脱しない範囲において、種々の変更を加えることが可能である。
【図面の簡単な説明】
【００６５】
【図１】本発明に係る内視鏡装置の第１の実施形態を示す全体斜視図である。
【図２】図１の光学アダプタを拡大して示す分解斜視図である
【図３】同実施形態における閉路の様子を示す説明図である。
【図４】本発明に係る内視鏡装置の第２の実施形態の要部を示す図であって、連結基板を示す斜視図である。
【図５】抵抗の接続の変形例を示す説明図である。
【図６】抵抗の接続の他の変形例を示す説明図である。
【図７】光学アダプタの変形例を示す分解斜視図である。
【図８】本発明に係る内視鏡装置の第３の実施形態の要部を示す説明図である。
【図９】フレキ基板に可変抵抗を取り付ける場合の変形例を示す斜視図である。
【図１０】本発明に係る内視鏡装置の第４の実施形態の要部を示す斜視図である。
【図１１】図１０の挿入部の先端部を示す側断面図である。
【図１２】同実施形態における閉路の様子を示す説明図である。
【図１３】図１２の可変抵抗の接続の変形例を示す説明図である。
【図１４】本発明に係る内視鏡装置の第５の実施形態を示す全体斜視図である。
【図１５】同実施形態における閉路の様子を示す説明図である。
【図１６】図１４の抵抗操作部の変形例を示す斜視図である。
【図１７】本発明に係る内視鏡装置の第６の実施形態の要部を示す説明図である。
【図１８】図１７の挿入部の先端部を示す側断面図である。
【図１９】同実施形態における閉路の様子を示す説明図である。
【図２０】同実施形態における光学アダプタおよび先端部の変形例を示す説明図である。
【図２１】本発明に係る内視鏡装置の第７の実施形態の要部を示す説明図である。
【図２２】本発明に係る内視鏡装置の第８の実施形態の要部を示す説明図である。
【符号の説明】
【００６６】
１    内視鏡装置
２    内視鏡本体部
４    挿入部
１０  光学アダプタ
１１  電源部
１２  照明部
５３  固定抵抗（電力補正手段、電力消費素子）
６４  可変抵抗（電力補正手段、電力消費素子）
６２  閉路
７１  抵抗本体部
７２  抵抗操作部
８８  プッシュスイッチ（識別手段、スイッチ）
８９  突出部（識別手段）
９８  操作入力部（識別手段）
【図１】
2006333945.tif 000003
【図２】
2006333945.tif 000004
【図３】
2006333945.tif 000005
【図４】
2006333945.tif 000006
【図５】
2006333945.tif 000007
【図６】
2006333945.tif 000008
【図７】
2006333945.tif 000009
【図８】
2006333945.tif 000010
【図９】
2006333945.tif 000011
【図１０】
2006333945.tif 000012
【図１１】
2006333945.tif 000013
【図１２】
2006333945.tif 000014
【図１３】
2006333945.tif 000015
【図１４】
2006333945.tif 000016
【図１５】
2006333945.tif 000017
【図１６】
2006333945.tif 000018
【図１７】
2006333945.tif 000019
【図１８】
2006333945.tif 000020
【図１９】
2006333945.tif 000021
【図２０】
2006333945.tif 000022
【図２１】
2006333945.tif 000023
【図２２】
2006333945.tif 000024